(57)【要約】      （修正有）【課題】容積の異なった複数の部屋を入れ子構造で重複格納本体とする、各部屋には移動用具を設け目的に応じて各部屋が前後左右に移動し容積の拡大、又は収納を可能にする。上記の重複格納本体はキャンピングボックスとしても利用できる拡大収納自在システム住宅を提案する。【解決手段】入れ子構造で重複格納本体は、軽量な複数の部屋を前後左右に十字型・直線型・Ｌ字型・コの字型に自在に変型する拡大収納機構である。キャンピングボックスについては、２つの部屋に分け内部の部屋は半円形部屋１０９それを１８０度旋回させ、さらに外側に引出し住居容積を拡大する。ドーム形屋根１１１はキャンピングボックスに折りたたみ内蔵させ使用時に本体に覆い被せる、折りたたみ式のテントは二重構造であって空気を挿入できる構造である、なおキャンピングボックスが末使用の場合は、移動装置を備えた保管架台に保管できる構造である。【選択図】図１４
2011236714.tif 000002
【特許請求の範囲】
【請求項１】
容積の異なった複数の箱状の各部屋は一部分が開口されている、それを入れ子構造で重複格納する、重複格納された各部屋に移動用具を備え、使用目的に応じて各部屋が前後左右に自在に拡大し、または収納を可能にする事を特徴とする拡大収納自在システム住宅。
【請求項２】
重複格納の一つに半円形部屋を設け回転盤に固定し、それを旋回操作する事により部屋を拡大する、ドーム状の屋根は折りたたみ構造で本体に内蔵し、キャンピングボックスとして利用する事を可能にした、特許請求の範囲、請求項１の拡大収納自在システム住宅。
【請求項３】
重複格納本体を保管するための保管架台を設け、誘引移動する移動用具と牽引装置を備える事を特徴とする保管架台。
【発明の詳細な説明】
【技術分野】
【０００１】本発明は、複数の部屋を重複格納し全体の容積を小さくし、設置場所では大きな容積の居室を得ることができる技術に関する。【０００２】キャンピングボックスについて、二つ部屋を重複格納させ、内側の部屋は半円形部屋１０９それを旋回させて容積を増大させる、屋根は折りたたみ方式のドーム状であり内臓させている、使用時にはキャンピングボックス全体を覆い高さの拡張を図ることができる技術に関する。【０００３】上記の重複格納本体を保管する為の、容易く保管架台に移設できる、保管架台に関わる技術に関する。
【背景技術】
【０００４】従来、箱状の側面に開口部のある本体部が拡大部を収納できる構造であり、外部ローラを有している移動シェルタをトラック等の輸送手段により運搬される。（特許文献１参照。）【０００５】従来、搬送車両の積載し得る基台と、該基台上に固定された主室と拡張室と拡張部に対し水平移動させる手段と上下移動させる手段を備えた運搬手段である。（特許文献２参照）【０００６】従来の建築方式で、一つの部屋に次々と複数の部屋が格納でき、使用目的に応じ複数の部屋が拡大・収納する入れ子構造は見当たらない。【０００７】従来のキャンピングカーは住居面積が小さく、最初から部屋を高く構成してある車は、運転時に車が左右に振られ危険性の高い状態であった。【０００８】従来のキャンピングボックスは、トラックの荷台への積み降ろしにはクレーン等を用いている。また別の方法では部屋本体の外部四隅に支柱を設置し、その支柱はジャッキ方式で本体を積み降ろしする構造である。
【先行技術文献】
【０００９】
【特許文献１】特開２００４−２１０３７６
【特許文献２】特開２００７−１５４５８１
【発明の開示】
【発明が解決しようとする課題】
【００１０】前項の［特許文献１］・［特許文献２］の問題点は、部屋の一部分を拡大しているだけで拡大容積率は少なく搬送を目的とした提案である。上記の問題点を解決するために、本案は容積を数倍に拡大出来る入れ子構造とする。【００１１】本発明は、請求項１の、入れ子構造で重複格納本体５の部屋を如何に拡大し大きな容積を得るか、又は収納するかが課題である。【００１２】キャンピングカーには二通りあり、本体にエンジン付で運転できる構造と、トラックの荷台に載せて運ぶ方式が有る、本案は総てトラックの荷台に載せて運ぶ方式を採用している。【００１３】キャンピングカーは道路交通法の規則のもとに規制されていて、全長、全幅、高さが重要な課題である、トラックの荷台については全長の１０％まで後方に拡張できると記載されている。【００１４】普段はトラックとして一般の仕事に従事し、必要に応じキャンピングカーとして使用するが、使用しない場合は、定められた場所に保管架台１１２を設置する。
【問題を解決しようとする手段】
【００１５】本発明は、図５で示す通り、部屋１・部屋２・部屋３・部屋４・各々が互いに少しずつ容積が異なり、重複格納本体５は、部屋１の内部に、部屋２が、次に部屋３、次に部屋４を、入れ子構造で重複格納本体５の各部屋は互いに滑合して、自在に拡大・収納と挿脱できる構造とする。
【００１６】重複格納本体５は必要に応じ、図５で説明すると各々の部屋が各々のガイドレール１’・２’・３’・４’に沿って移動用ボールキャスター１１を用い、前後左右に部屋を移動させ、自在に拡大収納する事が出来る構造である。
【００１７】キャンピングボックス１０２をキャンピングカーとして使用する場合トラック等の荷台１０３に載せて、格納されたキャンピングボックス１０２を使用目的に応じ拡大する。
【００１８】前項の、キャンピングボックス１０２は、図１５が示す通り、元来キャンピングボックスの部屋は小規模であった、それを拡大させるため回転盤１０８に半円形部屋１０９を着設し、それを外側に旋回させ、さらに半円形部屋１０９を外側に引き出して部屋の拡大を効果的にする。
【００１９】図１５に示す通り、引出された部屋１０９と本体１０２との隙間に雨水又は風除けの為のゴム板状を密接させる。キャンピングボックス１０２の屋根はドーム型屋根１１１は軽量な素材を用い、折りたたみ方式でキャンピングボックス１０２本体の一部に内蔵している。
【００２０】キャンピングボックス１０２上部の屋根１０４は開扉方式で、キャンピングカーとして使用する場合は、内蔵された付設シートと共に外部に張り出し、キャンプテントとして有効利用する。
【００２１】従来は、本体の四隅に支柱をジャッキ方式構造で本体を持ち上げ積み降ろしていたが、その支柱が邪魔になり車の搬入・搬出の際に支柱に当たる危険な構造である。それらを解決するため、本案は、キャンピングボックス１０２を使用しない場合おいては、本体を保管する目的で保管架台１１２を設ける。
【発明の効果】
【００２２】重複格納本体５内の各部屋を移動拡大することにより生活空間が広くなる、なお、設置場所の土地の形状に応じ自在に本体を変形できる構造である。
【００２３】一つの部屋空間に次々と部屋を格納した入れ子構造は、重複格納本体５を図５の示す通り、拡張すると部屋が目的に応じ図９・図１０・図１１・図１２に変化し、数倍に容積が拡大する。
【００２４】重複格納本体５は軽量な素材を用いる、場合によってはシート素材にする事も言うまでも無い。
【００２５】請求項２は、部屋本体の内部に半円形部屋１０９を設け、回転盤１０８によって、それを１８０度に旋回させ、さらに外側に引出す事により部屋の容積を拡大する。部屋の高は生活に支障のないよう天井を高めにするため、屋根はドーム形屋根１１１の折りたたみ方式で、これを本体に内蔵させており使用時に拡大し高さを得る、なお外部用にもシート状のテントは内蔵させ使用時に拡大させる。
【００２６】保管架台１１２の高さは、トラックの荷台の高さに調整し設定する、キャンピングボックス１０２の底面に移動用ボールキャスター１２０と、移動用レール１１３・移動用レール１１４とウィンチ１１５を備え、索引方法は、図１７・図１８で示す通り、ウインチ１１５、索引ロープ１１６を用い架台移動用レール１１３と荷台移動用レール１１４の軌道を利用し移動する。
【００２７】キャンピングボックス１０２が保管架台１１２に設置保管している場合、子供部屋、書斎等に利用できる。
【００２８】重複格納本体５は複数の部屋に護られている、それを各々の部屋に不燃性の素材と壁に放射線遮断用材を用いた移動式セェルター、また緊急避難用住居としても利用できる。
【発明を実施するための最良の形態】
【００２９】本発明の特徴は、入れ子構造の各部屋に簡易な移動用ボールキャスター１１を付設し各部屋が前後左右に十字型・直線型・Ｌ字型・コの字型に変型移動できる構造である、それらによって、住居容積を拡大することが出来る。なお、縮小した重複格納本体５はトラック等の荷台に載せて移設可能な構造である。【００３０】キャンピングボックス１０２については、二つの部屋を重複格納し、内部の半円形部屋１０９は、それを１８０度旋回させ、さらに外側に引出し住居使用面積を拡大させる、屋根は折りたたみ、ドーム形屋根１１１はキャンピングボックス１０２に内蔵されていている。テントは室内温度を調節するため二重構造で、空気が挿入できる構造である。
【実施例】
【００３１】以下に実施例を説明する。
図１、図２、図３、図４は入れ子構造の重複格納本体５を用い自在に拡大させ、部屋の容積を数倍に拡大することが出来る様にした。【００３２】図５は入れ子構造の重複格納された平面図でテント支柱６は、梁７テント屋根８を支える、図６は上記の斜視図である。【００３３】図７について説明する、各々の部屋が拡大した際に生じる空間に雨水と隙間風の問題がある、其の問題を解決するためにテント屋根８、隙間止１２を設けた、隙間止１２はゴム板状で、屋根支柱６に隙間止１２の片側を固定させる。固定されない片側のゴム板は部屋の移動時に接触しながら左右動し雨水及び隙間風を防ぐ構造である。【００３４】図８は入れ子構造の重複格納状態で、移動のためのガイドレール１’・２’・３’．・４’及びボールキャスター１１を付設した部屋の収納構図である。【００３５】図９は十字型・図１０は直線型・図１１はコの字型・図１２はＬ字型・に拡大できる。その移動方法について、図７に示す通り、重複格納本体５の各部屋の底部にボールキャスター１１、ガイドレール１’・２’・３’・４’を付設して、前後左右に屈折移動できる様にした。重複格納本体５を他の土地に移設する場合、収納した重複格納体５をトラック等により搬送し簡単に移設できる。【００３６】図１３のキャンピングボックス１０２は小型自動車を想定して説明すると、トラック荷台１０３の面積は小さく、長さ、幅、高さ共に非常に狭い、それらを解決した説明は下記に示す。【００３７】図１４はキャンピング場等に於いて住居容積を拡大する順序を説明すると、最初にキャンピングボックス１０２の開閉壁・兼務・床板１０６を開扉し床板として利用、その真下に床支柱１１０で固定する、回転盤１０８に固定された半円形部屋１０９を手動によって１８０度旋回操作させ、さらに半円形部屋１０９を外側に引出す。キャンピングボックス１０２の屋根１０４は開扉によって、外部テント屋根１０４に変改し内蔵されたテント支柱１０５を用いて安定させる。【００３８】図１５はキャンピングボックスを拡大した平面図で、図１６はキャンピングボックス拡大斜視図である。半円形部屋１０９とドーム型屋根１１１全体は雨水隙間風の防止と、特に山間地においては外気と内気の寒暖の差があり、それを防止する為、折りたたみ式のテントは二重構造であって空気挿入ができる装置を備えている。なお半円形部屋１０９とドーム型屋根１１１はデザイン性を加味したことは言うまでもない。【００３９】図１７・図１８は、トラックの荷台の移動を示すものである。
キャンピングカーは毎日使用するものではない未使用の場合、本案は図１７・図１８・で示す通り、保管架台１１２を設け、ウインチ１１５・索引ロープ１１６を用い一人でも簡単に保管架台に移動できる様にした、しかし荷台１０３より保管架台１１２に載せ換えるには、自動車を後進させ保管架台１１２と正確に接合するのは非常に難しいので、ある程度自動車が後進したら、保管架台１１２側を人手によって自在に調整し正確に接合させる様にした。
さらに保管架台１１２よりトラックの荷台１０３に移動する場合は図１８で示す通り牽引ロープ１１６・牽引ロープ止金具１１７・牽引ロープ反転金具１１８を用い、ウインチ１１５によって索引ロープ１１６を巻上げトラックの荷台に積みかえる様にした。【００４０】以上の実施例のほか、キャンピングボックス１０２は軽量であるので、ツリーハウスなどにも応用することができる。
【産業上の利用可能性】
【００４１】本案は、住居・事務所・商品販売用・緊急用住宅・避難カプセル・ツリーハウス等に利用できる。しかも大量生産が可能であり低価格で提供できる。
本案の建物の外観については別途にパネル式で構成するため建築デザイン業界等に反映し産業の拡大にもつながる。
キャンピングカーについても低価で製造でき現在の経済環境のなか、自動車業界に大きく貢献出来る。
【図面の簡単な説明】
【００４２】
【図１】  十字型に移動した斜視図。
【図２】  直線型に移動した斜視図。
【図３】  コの字型に移動した斜視図。
【図４】  Ｌの字型に移動した斜視図。
【図５】  入れ子構造の重複格納の平面図。
【図６】  入れ子構造の重複格納の斜視図。
【図７】  重複格納された状態の周辺構造の断面図
【図８】  入れ子構造の重複格納状態の断面図
【図９】  十字型に移動平面図。
【図１０】  直線型に移動平面図。
【図１１】  コの字型に移動平面図。
【図１２】  Ｌ字型に移動平面図。
【図１３】  キャンピングボックス全体の側面図。
【図１４】  キャンピングボックス拡大した正面図。
【図１５】  キャンピングボックス拡大した平面図。
【図１６】  キャンピングボックス拡大斜視図。
【図１７】  保管架台に移動前の側面図。
【図１８】  保管架台に移動後の側面図。
【図１９】  荷台・保管架台・移動構造平面図。
【符号の説明】
【００４３】１          部屋
２          部屋
３          部屋
４          部屋
１’        ガイドレール
２’        ガイドレール
３’        ガイドレール
４’        ガイドレール
５          重複格納本体
６          テント支柱
７          梁
８          テント屋根
９          拡大後の中心空間
１０        ←印は部屋の移動方向を示す
１１        ボールキャスター
１２        隙間止め
１０１      自動車運転席
１０２      キャンピングボックス
１０３      荷台
１０４      屋根、兼務、外部テント屋根
１０５      テント支柱
１０６      開閉壁、兼務、床板
１０７      回転軸
１０８      回転盤
１０９      半円形部屋
１１０      床支柱
１１１      ドーム形屋根
１１２      保管架台
１１３      架台移動用レール
１１４      荷台移動用レール
１１５      ウインチ
１１６      牽引ロープ
１１７      牽引ロープ止金具
１１８      牽引ロープ反転金具
１１９      ←印はロープの牽引方向を示す
１２０      移動用ボールキャスター
【図１】
2011236714.tif 000003
【図２】
2011236714.tif 000004
【図３】
2011236714.tif 000005
【図４】
2011236714.tif 000006
【図５】
2011236714.tif 000007
【図６】
2011236714.tif 000008
【図７】
2011236714.tif 000009
【図８】
2011236714.tif 000010
【図９】
2011236714.tif 000011
【図１０】
2011236714.tif 000012
【図１１】
2011236714.tif 000013
【図１２】
2011236714.tif 000014
【図１３】
2011236714.tif 000015
【図１４】
2011236714.tif 000016
【図１５】
2011236714.tif 000017
【図１６】
2011236714.tif 000018
【図１７】
2011236714.tif 000019
【図１８】
2011236714.tif 000020
【図１９】
2011236714.tif 000021
【手続補正書】
【提出日】平成23年7月14日(2011.7.14)
【手続補正１】
【補正対象書類名】特許請求の範囲
【補正対象項目名】請求項２
【補正方法】変更
【補正の内容】
【請求項２】
部屋本体の内部に半円形部屋を設け回転盤に固定し、それを旋回操する事により部屋を拡大する、ドーム状の屋根は折りたたみ構造で本体に内蔵し使用時に拡大し高さを得る、キャンピングボックスとして利用する事を可能にした、拡大収納自在システム住宅。
【手続補正２】
【補正対象書類名】特許請求の範囲
【補正対象項目名】請求項３
【補正方法】変更
【補正の内容】
【請求項３】
前記部屋を保管するための、誘引移動する移動用具と牽引装置を備える保管架台を設けた、請求項２記載の拡大収納自在システム住宅。